(57)【要約】バイパス管路アセンブリ（１７）であって、流れ方向にガスを移動させるバイパス管路と、バイパス管路に沿った位置に配置されたバイパス弁（２３）と、バイパス弁の上流に配置された手動式絞り弁（２５）と、を有し、手動式絞り弁は、圧力開放通路を備える絞り弁球を含んでる。
2007500839.tif 000002
【特許請求の範囲】
【請求項１】
流れ方向にガスを移動させるバイパス管路と、
前記バイパス管路に沿った位置に設けられたバイパス弁と、
前記バイパス弁の上流に位置するとともに、圧力開放通路を備える絞り弁球を含む手動式絞り弁と、を有することを特徴とするバイパス管路アセンブリ。
【請求項２】
前記ガス流れ手段が、前記絞り弁球を貫通する穴を含むことを特徴とする請求項１記載のバイパス管路アセンブリ。
【請求項３】
前記穴は円形であることを特徴とする請求項２記載のバイパス管路アセンブリ。
【請求項４】
前記穴の直径は、０．０６０〜０．１８５インチであることを特徴とする請求項２記載のバイパス管路アセンブリ。
【請求項５】
前記直径は、約０．１２５インチであることを特徴とする請求項４記載のバイパス管路アセンブリ。
【発明の詳細な説明】
【技術分野】
【０００１】
本発明は、超過圧力による破損を減少させるために絞り弁球を貫通する穴を備えるように改良された手動式絞り弁を有するバイパス管路アセンブリに関する。
【背景技術】
【０００２】
冷凍ユニットの技術では、高温ガスバイパス機構を有する水冷式冷凍機を使用することは一般的である。このような高温ガスバイパス機構を使用すると、低負荷状態において水冷式冷凍機の安定動作が可能になる。高温ガスバイパス弁は、負荷が予め定められたあるレベルよりも低下したときに開くように冷凍機の制御装置によって作動される。従って、高温ガスバイパス弁は、「オン」または「オフ」のいずれかの位置にある。しかし、高温ガスバイパス弁の動作をより細かく制御することが好ましい場合もある。このような細かい制御を達成するために、高温ガスバイパス弁と直列に手動式ボール弁が使用される。アセンブリの停止時には、ボール弁と高温ガスバイパス弁との間に液体が捕捉されうる。手動式ボール弁と高温ガスバイパス弁が共に遮断されており、かつ２つの弁を連結する管が周囲空気などによって加熱された場合には、高圧が生じてアセンブリが破損するおそれがある。すなわち、アセンブリは、高温ガスバイパス弁と手動式ボール弁とを連結する管路内の過剰な圧力により破損するおそれがある。
【０００３】
よって、低負荷時に要求される条件を犠牲にすることなく、手動式ボール弁と高温ガスバイパス弁との間に発生しうる圧力を緩和する方法が求められている。
【発明の開示】
【発明が解決しようとする課題】
【０００４】
従って、本発明の目的は、超過圧力による破損を減少させるために絞り弁球を貫通する穴を備えるように改良された手動式絞り弁を有するバイパス管路アセンブリを提供することである。
【０００５】
本発明の目的は、さらに、流れ方向にガスを移動させるバイパス管路と、このバイパス管路に沿った位置に設けられたバイパス弁と、バイパス弁の上流に配置された手動式絞り弁と、を含み、手動式絞り弁が、圧力開放通路を備える弁球を含むバイパス管路アセンブリを提供することである。
【課題を解決するための手段】
【０００６】
本発明の主要な目的は、「高温ガス」バイパス弁と直列に含まれる手動式絞り弁を教示することであり、主要な絞り弁は高温ガスバイパス管路の破損を防止するように設けられている。具体的には、手動式絞り弁は、手動式絞り弁内に収容された絞り弁球に掘削または他の方法で穴を設けることによって改良されており、これにより過剰な液体またはガスの圧力が緩和される。冷凍ユニットの凝縮器に関して説明したが、改良された手動式絞り弁はこれに限定されない。むしろ、本発明は、ある圧力でガスまたは液体が通過するアセンブリであって、直列に配置された２つの弁を含み、一方の弁が、上述のようにガスフローを可能にして超過圧力を防ぐ穴または通路を含むように改良された全てのアセンブリに関する。
【発明を実施するための最良の形態】
【０００７】
図１を参照すると、本発明の凝縮器１３と高温ガスバイパス管路アセンブリ１７が示されている。高温ガスバイパス管路１７の両端には、凝縮器遮断弁１１と冷却器遮断弁１５がそれぞれ設けられる。動作時には、ガスおよび液体は、高温ガスバイパス管路１７を通って凝縮器遮断弁１１から冷却器遮断弁１５まで移動する。
【０００８】
図２を参照すると、本発明の高温ガスバイパス管路１７が詳細に示されている。高温ガスパイパス管路１７の主要構成要素はバイパス弁２３と手動式絞り弁２５を含む。さらに、高温ガスバイパス流れ方向２７が示されている。ガスと液体は、矢印で示すようにコーダに向かって高温ガスバイパス流れ方向２７で高圧から低圧まで移動する。
【０００９】
圧縮機負荷が予め定められたある負荷まで減少すると、バイパス弁２３が開くように作動する。バイパス弁２３は、典型的に、完全に開いた位置または完全に閉じた位置のいずれかに維持される。バイパス弁２３を通る流れを細かく制御するために、手動式絞り弁２５がバイパス弁２３の上流に設置される。
【００１０】
圧縮機１１の停止時には、冷媒のチャージが凝縮器内に保持されるとともに遮断弁１１，１５が閉じている。もし、このような停止時に手動式絞り弁２５が閉じていれば、バイパス弁２３と手動式絞り弁２５との間に液体が捕捉されうる。このような場合には、高温ガスバイパス管路１７の外側の周囲温度によって液体が加熱され、液体の圧力が高温ガスバイパス管路１７が破損する値を超えて上昇するおそれがある。典型的には、このような高温ガスバイパス管路１７の破損は、約１２００〜１５００ポンドの冷媒損失を発生させ、さらに安全上の問題を引き起こしうる。
【００１１】
図３を参照すると、本発明の手動式絞り弁２５が示されている。手動式絞り弁２５は、絞り弁球４１を含む。図４を参照すると、本発明の手動式絞り弁２５の内部に収容された絞り弁球４１が詳細に示されている。特に、バイパス弁２３と手動式絞り弁２５との間におけるバイパス管路１７の部分からガスの流れが流出するのを可能にするガス流れ手段４３が示されている。好適実施例では、ガス流れ手段４３は、絞り弁球４１にあけられた円筒形の穴または他の開口部であり、ガス流れ手段４３は絞り弁球４１を完全に貫通して延びる開口部を構成する。好適実施例では、ガス流れ手段４３は、絞り弁球４１を貫通して機械加工または他の方法であけられた円形の穴を含む。手動式絞り弁２５が完全に閉じた位置では、穴の軸は高温ガスバイパス管路アセンブリ１７に平行に方向づけられる。この穴の機能は、手動式絞り弁２５が閉じているときに流体用の通路を提供することである。ガス流れ手段４３を構成する穴は、好ましくは直径が０．０６０〜０．１８５インチである。最も好ましくは、穴の直径は約０．１２５インチである。
【００１２】
本発明によって、上述した目的、手段、および利点を完全に満たす高温ガスバイパスの切り離しが提供されることは明かである。本発明を具体的実施例に関して説明したが、当業者には上述の説明から他の代替物、改良、および変更が明らかとなる。よって、本発明は請求項の範囲に含まれるこのような代替物、改良、および変更を含むものである。
【図面の簡単な説明】
【００１３】
【図１】本発明に係る凝縮器および高温ガスバイパスアセンブリの説明図である。
【図２】本発明に係る凝縮器および高温ガスバイパスアセンブリの断面図である。
【図３】本発明に係る手動式絞り弁の斜視図である。
【図４】本発明に係る絞り弁球の斜視図である。
【図１】
2007500839.tif 000003
【図２】
2007500839.tif 000004
【図３】
2007500839.tif 000005
【図４】
2007500839.tif 000006
【国際調査報告】
2007500839.tif 000007
2007500839.tif 000008
2007500839.tif 000009